(57)【要約】【課題】ＢＳアンテナへの電源供給設定を受信装置の使用者が手動で行う必要があり、また、ＢＳ放送のチャンネルオートサーチを行う際には、サーチ動作に入る前にＢＳアンテナへの電源供給設定を正しく行っている必要がある。【解決手段】ＢＳチャンネルでのオートサーチの動作アルゴリズムを変更し、まず、ＢＳアンテナ電源設定を「ＯＦＦ」としてサーチし、ＢＳ放送が受信できない場合のみ、ＢＳアンテナ電源設定を「ＯＮ」として再度ＢＳチャンネルのみのサーチを行うことにより、ＢＳアンテナ電源設定を自動的に設定することができ、また、ＢＳアンテナ電源の設定ミスによるオートサーチ処理の失敗を避けることができる。【選択図】図３
2005311830.tif 000002
【特許請求の範囲】
【請求項１】
衛星放送を受信可能な受信装置であって、外部接続された衛星放送アンテナに電源を供給するＢＳアンテナ電源供給回路と、前記映像放送アンテナから受信した衛星放送を選局制御するＢＳチューナー回路と、前記ＢＳチューナー回路における選局動作に応じて前記ＢＳアンテナ電源供給回路を制御する制御手段とを備え、前記制御手段は、前記衛星放送アンテナに対する電源供給を行わない状態で前記ＢＳチューナー回路における選局チャンネルの設定を行い、衛星放送を受信できれば設定を終了し、衛星放送を受信できなければ前記衛星放送アンテナに対して電源供給を行うようＢＳアンテナ電源供給回路を制御して、前記ＢＳチューナーで選局チャンネルの設定を行うことを特徴とする衛星放送受信装置。
【発明の詳細な説明】
【技術分野】
【０００１】
本発明は、衛星放送受信アンテナ（以下、ＢＳアンテナと記す）への電源供給が可能な、衛星放送受信装置（以下、ＢＳ受信装置と記す）に関するものである。
【背景技術】
【０００２】
日本で衛星放送が開始されてから１０年以上が経過し、また、当初の衛星アナログ放送に加えて、現在では衛星デジタル放送も始まっており、衛星放送受信の普及率も更に向上している。
【０００３】
これら衛星放送（以下、ＢＳ放送と記す）を受信する際には、ＢＳ受信装置にＢＳアンテナからの出力信号を接続して受信する。このＢＳアンテナには、電波を受ける機能の他に、受けた電波の周波数をダウンコンバートするという機能も有しており、放送衛星から送信される１１ＧＨｚ帯の信号をアンテナ部分で受けた後、より低い周波数である１ＧＨｚ帯に周波数変換する。その周波数変換された１ＧＨｚ帯の信号をＢＳ受信装置へ出力している。この周波数変換回路には外部からの電源が必要となるため、ＢＳ受信装置よりアンテナ線を通じて直流電圧を重畳し供給する。
【０００４】
ＢＳ放送の受信形態が一戸建てのような「個別受信」の場合にはＢＳ内蔵テレビやＢＳ内蔵ＶＴＲ等のＢＳ受信装置から上述のようにＢＳアンテナへ電源を供給する必要がある。
【０００５】
一方、ＢＳ放送の受信形態がマンションなどの「共同受信」の場合には、建物の一箇所に電源供給装置が設置されていることが多く、その場合には建物の各部屋のＢＳ受信装置からの電源供給は必要ない。
【０００６】
以上のように、受信形態によりＢＳ受信装置からの電源供給が必要な場合と必要でない場合があるため、ＢＳ内蔵ＴＶやＢＳ内蔵ＶＴＲ等のＢＳ受信装置では、ＢＳアンテナ電源供給＝「ＯＮ」または「ＯＦＦ」の設定選択が可能となっている。従来、それら各ＢＳ受信装置からのＢＳアンテナ電源供給設定は機器のメニュー画面等を使ってＢＳ受信装置の使用者が手動で行っている。
【０００７】
また、地上波受信装置やＢＳ受信装置を内蔵しているテレビやＶＴＲ等には、「放送チャンネルオートサーチ」という機能が搭載されていることが多い。これは、受信セットを購入し設置する際のチャンネル設定作業を簡便に行うことを目的とする機能であり、アンテナ線を受信セットに接続した後、受信装置への手動操作等により地上波放送やＢＳ放送の各チャンネルを順番にサーチするチャンネルサーチ動作を開始させ、その受信場所で受信できるチャンネルを自動的に探し出し、受信装置に選局チャンネルを割り当てる機能である。この機能を使うことで受信装置の使用者はチャンネル設定を簡便に行うことができる。
【０００８】
以下に、従来の受信装置におけるＢＳアンテナや地上波アンテナとの接続、及び、放送チャンネルオートサーチ機能について説明する。
【０００９】
まず、ＢＳアンテナや地上波アンテナと受信装置との接続について図４を用いて説明する。
【００１０】
ＢＳダウンコンバーターを内蔵したＢＳアンテナ５２からのＢＳ−ＩＦ信号を受信装置５１のＢＳ−ＩＦ入力端子５３へ入力する。入力されたＢＳ−ＩＦ信号は直流カットコンデンサ５９を経由し高周波成分のみがＢＳチューナー６０へ入力される。ＢＳチューナー６０では、マイクロコンピューター５７からのＢＳ選局制御信号６１に従い選局動作が行われ、使用者の希望チャンネルが選局され、ＢＳ放送の映像信号と音声信号へ復調される。
【００１１】
また、ＢＳアンテナ５２に内蔵されているＢＳダウンコンバーターを動作させるため、ＢＳアンテナ電源供給回路５５から、逆流防止ダイオード５４を経由して、ＢＳ−ＩＦ信号入力端子５３より、ＢＳ−ＩＦ信号線にＢＳアンテナ電源電圧を重畳し供給する。ＢＳアンテナ電源の「ＯＮ」「ＯＦＦ」の切り替えは、操作部５８にて使用者より入力された情報に従い、マイクロコンピューター５７がＢＳアンテナ電源供給回路５５に対し、ＯＮ／ＯＦＦ制御信号５６を出力し制御する。
【００１２】
また、地上波放送の受信については、地上波アンテナ６３からの地上波信号を、地上波信号入力端子６４を経由して地上波チューナー６５へ入力する。地上波チューナー６５ではマイクロコンピューター５７からの地上波選局制御信号６６に従って選局動作が行われ、地上波放送の映像信号と音声信号へ復調される。
【００１３】
次に、放送チャンネルオートサーチ機能の動作について図５と図６を使用して説明する。図５はマイクロコンピューター５７のブロック図、また、図６は放送チャンネルオートサーチ動作のフローチャートである。
【００１４】
まず、受信装置５１に地上波放送アンテナ６３、及び、ＢＳアンテナ５２を接続する（ＳＴＥＰ５１）。次に使用者が受信装置５１のＢＳアンテナ電源供給設定を、操作部８０よりメニュー画面等を使って設定する（ＳＴＥＰ５２）。そして操作部８０より放送チャンネルオートサーチ動作開始を指示する（ＳＴＥＰ５３）。
【００１５】
オートサーチ開始後、まず、地上波放送のサーチが行われる（ＳＴＥＰ５４）。マイクロコンピューター５７の制御部７２が各地上波チャンネルのチャンネル選局制御信号をＲＯＭ７９より読み出し、地上波選局命令部７６に送り、地上波選局命令部７６から地上波チューナー６５に対し、地上波チャンネル選局制御信号が送出される。地上波チューナーからの映像信号出力は、マイクロコンピューター５７の地上波映像信号判別部７７に接続されている。放送されているチャンネルを選局した時は、地上波チューナー６５からの映像信号が地上波映像信号判別部７７に入力される。また、放送されていないチャンネルを選局した時は、地上波チューナー６５からの映像信号出力に映像信号はのっていないため、地上波映像信号判別部７７には映像信号が入力されない。地上波映像信号判別部７７では、各地上波チャンネル毎に、映像信号があるかどうかを判別し、その判別結果を制御部７２に送る。制御部７２では、各地上波チャンネルごとの映像信号の有無をメモリ部７８に書き込む。該受信装置で選局可能な全ての地上波チャンネルのサーチを行い、地上波チャンネルのオートサーチは終了する。
【００１６】
次にＢＳチャンネルのサーチが開始される（ＳＴＥＰ５５）。マイクロコンピューター５７の制御部７２が各ＢＳチャンネルのチャンネル選局制御信号をＲＯＭ７９より読み出し、ＢＳ選局命令部７４に送り、ＢＳ選局命令部７４からＢＳチューナー６０に対し、ＢＳチャンネル選局制御信号が送出される。ＢＳチューナー６０からの映像信号出力は、マイクロコンピューター５７のＢＳ映像信号判別部７５に接続されている。放送されているチャンネルを選局した時は、ＢＳチューナーからの映像信号がＢＳ映像信号判別部７５に入力される。また、放送されていないチャンネルを選局した時は、ＢＳチューナー６０からの映像信号出力に映像信号はのっていない。ＢＳ映像信号判別部７５では、各ＢＳチャンネル毎に、映像信号があるかどうかを判別し、その判別結果を制御部７２に送る。制御部７２では、各ＢＳチャンネルごとの映像信号の有無をメモリ部７８に書き込む。該受信装置で選局可能な全てのＢＳチャンネルのサーチを行い、ＢＳチャンネルのオートサーチは終了する。
【００１７】
以上で全てのオートサーチ動作は終了する（ＳＴＥＰ５６）。
【００１８】
オートサーチ動作を行うことにより、それぞれのチャンネルについて、映像信号があったかどうか、すなわち、放送されているチャンネルかどうかについての情報がメモリ部７８に書き込まれ保存される。
【００１９】
オートサーチ処理完了後のチャンネル切り替え操作においては、マイクロコンピューター７１がメモリ部７８の情報を参照して、映像信号があったチャンネルのみ選局を可能とする。映像信号がなかったチャンネルはチャンネルが割り当てられずスキップされるためチャンネル選択操作が簡便化される。
【特許文献１】特開平５−２６８６０８号公報
【特許文献２】特開平９−３２０１４４号公報
【発明の開示】
【発明が解決しようとする課題】
【００２０】
しかしながら従来の場合では、ＢＳアンテナへの電源供給設定を受信装置の使用者が手動で行う必要があり、受信装置の操作を煩雑にする一要因となっている。特にＢＳ放送のチャンネルオートサーチを行う際には、サーチ動作に入る前にＢＳアンテナへの電源供給設定を正しく行っている必要がある。
【００２１】
例えばＢＳ放送の「個別受信」の場合には、ＢＳアンテナ電源供給＝「ＯＦＦ」としたまま放送チャンネルオートサーチ動作を行うと、ＢＳアンテナが動作しないため、ＢＳの全チャンネルが受信できず、サーチ終了後、ＢＳのチャンネルが割り当てられていない結果となる。そのようになった場合には、ＢＳアンテナ電源供給設定を正しく設定し直し、再度、オートサーチ動作を行うことになる。
【００２２】
本発明は、これら従来の問題点を解決するものであり、放送チャンネルオートサーチのアルゴリズムを変更し、ＢＳアンテナ電源供給設定を強制的に切り替えてＢＳ放送が受信できるかどうかを判別する。
【課題を解決するための手段】
【００２３】
この目的を達成するために本発明は、衛星放送を受信可能な受信装置であって、外部接続された衛星放送アンテナに電源を供給するＢＳアンテナ電源供給回路と、前記映像放送アンテナから受信した衛星放送を選局制御するＢＳチューナー回路と、前記ＢＳチューナー回路における選局動作に応じて前記ＢＳアンテナ電源供給回路を制御する制御手段とを備え、前記制御手段は、前記衛星放送アンテナに対する電源供給を行わない状態で前記ＢＳチューナー回路における選局チャンネルの設定を行い、衛星放送を受信できれば設定を終了し、衛星放送を受信できなければ前記衛星放送アンテナに対して電源供給を行うようＢＳアンテナ電源供給回路を制御して、前記ＢＳチューナーで選局チャンネルの設定を行うものである。
【発明の効果】
【００２４】
以上のように本発明によれば、ＢＳ放送の各受信形態に対するＢＳアンテナ電源設定を自動的に設定することができ、また、ＢＳアンテナ電源の設定ミスを回避することができるためオートサーチ動作時にＢＳアンテナが動いていないことによるオートサーチ作業の失敗を避けることができるという効果が得られる。
【発明を実施するための最良の形態】
【００２５】
本発明の請求項１に記載の発明は、衛星放送を受信可能な受信装置であって、外部接続された衛星放送アンテナに電源を供給するＢＳアンテナ電源供給回路と、前記映像放送アンテナから受信した衛星放送を選局制御するＢＳチューナー回路と、前記ＢＳチューナー回路における選局動作に応じて前記ＢＳアンテナ電源供給回路を制御する制御手段とを備え、前記制御手段は、前記衛星放送アンテナに対する電源供給を行わない状態で前記ＢＳチューナー回路における選局チャンネルの設定を行い、衛星放送を受信できれば設定を終了し、衛星放送を受信できなければ前記衛星放送アンテナに対して電源供給を行うようＢＳアンテナ電源供給回路を制御して、前記ＢＳチューナーで選局チャンネルの設定を行うものであり、これにより、ＢＳ放送の各受信形態に対するＢＳアンテナ電源設定を自動的に設定することができ、また、ＢＳアンテナ電源の設定ミスを回避することができるためオートサーチ動作時にＢＳアンテナが動いていないことによるオートサーチ作業の失敗を避けることができるものである。
【００２６】
（実施の形態１）
本発明の実施の形態について図面を用いて具体的に説明する。
【００２７】
まず、ＢＳアンテナや地上波アンテナと受信装置との接続について図１を用いて説明する。
【００２８】
ＢＳダウンコンバーターを内蔵したＢＳアンテナ２からのＢＳ−ＩＦ信号をＢＳ受信装置１のＢＳ−ＩＦ入力端子３へ入力する。入力されたＢＳ−ＩＦ信号は直流カットコンデンサ９を経由し高周波成分のみがＢＳチューナー１０へ入力される。ＢＳチューナー１０では、マイクロコンピューター７からのＢＳ選局制御信号１１に従い選局動作が行われ、使用者の希望チャンネルが選局され、ＢＳ放送の映像信号と音声信号に復調される。
【００２９】
また、ＢＳアンテナ２に内蔵されているＢＳダウンコンバーターを動作させるため、ＢＳアンテナ電源供給回路５から、逆流防止ダイオード４を経由して、ＢＳ−ＩＦ信号入力端子３より、ＢＳ−ＩＦ信号線にＢＳアンテナ電源電圧を重畳し供給する。ＢＳアンテナ電源の「ＯＮ」「ＯＦＦ」の切り替えは、操作部８にて使用者より入力された情報に従い、マイクロコンピューター７がＢＳアンテナ電源供給回路５に対し、ＯＮ／ＯＦＦ制御信号６を出力し制御する。
【００３０】
地上波放送の受信については、地上波アンテナ１３からの地上波信号を、地上波信号入力端子１４を経由して地上波チューナー１５へ入力する。地上波チューナー１５ではマイクロコンピューター７からの地上波選局制御信号１６に従って選局動作が行われ、地上波放送の映像信号と音声信号に復調される。
【００３１】
次に、放送チャンネルオートサーチ機能の動作について図２と図３を使用して説明する。図２はマイクロコンピューターのブロック図、また、図３は放送チャンネルオートサーチ動作のフローチャートである。
【００３２】
まず、受信装置に地上波放送アンテナ、及び、ＢＳアンテナを接続する（ＳＴＥＰ１）。次に使用者が、操作部３０よりメニュー画面等を使って放送チャンネルオートサーチ動作開始を指示する（ＳＴＥＰ２）。
【００３３】
オートサーチ開始の指示により、地上波放送のサーチが開始される（ＳＴＥＰ３）。マイクロコンピューター２１の制御部２２が各地上波チャンネルのチャンネル選局制御信号をＲＯＭ２９より読み出し、地上波選局命令部２６に送り、地上波選局命令部２６から地上波チューナーに対し、地上波チャンネル選局制御信号が送出される。地上波チューナーからの映像信号出力は、マイクロコンピューター２１の地上波映像信号判別部２７に接続されている。放送されているチャンネルを選局した時は、地上波チューナーからの映像信号が地上波映像信号判別部２７に入力される。また、放送されていないチャンネルを選局した時は、地上波チューナーからの映像信号出力に映像信号はのっていないため地上波映像信号判別部２７に映像信号は入力されない。地上波映像信号判別部２７では、各地上波チャンネル毎に、映像信号があるかどうかを判別し、その判別結果を制御部２２に送る。制御部２２では、各地上波チャンネルごとの映像信号の有無をメモリ部２８に書き込む。該受信装置で選局可能な全ての地上波チャンネルのサーチを行い、地上波チャンネルのオートサーチは終了する。
【００３４】
次にマイクロコンピューター２１の制御部２２よりＢＳ電源制御部２３に対し、ＢＳアンテナ電源供給設定を「ＯＦＦ」にするように指示する。指示を受けたＢＳアンテナ電源制御部２３はＢＳアンテナ電源供給回路に対し、ＢＳアンテナ電源を「ＯＦＦ」にするための制御信号を出力し、その結果、ＢＳアンテナ電源は出力されない状態となる（ＳＴＥＰ４）。
【００３５】
なお、このＳＴＥＰ４の処理は上記のＳＴＥＰ３の直前に行っても良い。
【００３６】
その後ＢＳチャンネルのサーチが開始される（ＳＴＥＰ５）。マイクロコンピューター２１の制御部２２が各ＢＳチャンネルのチャンネル選局制御信号をＲＯＭ２９より読み出し、ＢＳ選局命令部２４に送り、ＢＳ選局命令部２４からＢＳチューナーに対し、ＢＳチャンネル選局制御信号が送出される。ＢＳチューナーからの映像信号出力は、マイクロコンピューター２１のＢＳ映像信号判別部２５に接続されている。放送されているチャンネルを選局した時は、ＢＳチューナーからの映像信号がＢＳ映像信号判別部２５に入力される。また、放送されていないチャンネルを選局した時は、ＢＳチューナーからの映像信号出力に映像信号はのっていないためＢＳ映像信号判別部２５に映像信号は入力されない。ＢＳ映像信号判別部２５では、各ＢＳチャンネル毎に、映像信号があるかどうかを判別し、その判別結果を制御部２２に送る。制御部２２では、各ＢＳチャンネルごとの映像信号の有無をメモリ部２８に書き込む。該受信装置で選局可能な全てのＢＳチャンネルのサーチを行う。
【００３７】
次に、制御部２２がメモリ部２８を参照し、上述ＳＴＥＰ５の処理でＢＳ放送を受信できたかどうかを判断する（ＳＴＥＰ６）。
【００３８】
ＢＳ放送が受信できたと判断された場合は、オートサーチ処理を全て終了する（ＳＴＥＰ７）。現在のＢＳアンテナ電源設定はＳＴＥＰ４で設定した「ＯＦＦ」の設定となっているが、この状態でＢＳ放送が受信可能なため、この「ＯＦＦ」の設定のままオートサーチ処理を終了する。
【００３９】
一方、ＢＳ放送が受信できないと判断された場合は、マイクロコンピューター２１の制御部２２よりＢＳ電源制御部２３に対し、ＢＳアンテナ電源供給設定を「ＯＮ」にするように指示する。指示を受けたＢＳアンテナ電源制御部２３はＢＳアンテナ電源供給回路に対し、ＢＳアンテナ電源を「ＯＮ」にするための制御信号を出力し、ＢＳアンテナに対してＢＳアンテナ電源を出力する（ＳＴＥＰ８）。そしてこの状態でＳＴＥＰ５と同様にＢＳチャンネルのサーチを再度実行する（ＳＴＥＰ９）。該受信装置で選局可能な全てのＢＳチャンネルのサーチを行った後、制御部２２がメモリ部２８を参照し、ＳＴＥＰ９の処理でＢＳ放送を受信できたかどうかを判断する（ＳＴＥＰ１０）。
【００４０】
ＢＳ放送が受信できたと判断された場合は、オートサーチ処理を全て終了する（ＳＴＥＰ１１）。現在のＢＳアンテナ電源設定はＳＴＥＰ８で設定した「ＯＮ」の設定となっているが、この状態でＢＳ放送が受信できるため、この「ＯＮ」の設定のままオートサーチ処理を終了する。
【００４１】
一方、ＢＳ放送が受信できないと判断された場合はその原因として、ＢＳアンテナの未接続や接続ミスといったことが考えられるため（ＳＴＥＰ１２）、ＴＶ画面上や受信装置の文字表示部分に「ＢＳアンテナ線の接続を確認してください」等の警告表示を行い、使用者に対し注意を促す（ＳＴＥＰ１３）。
【００４２】
以上で全てのオートサーチ動作を終了する（ＳＴＥＰ１４）
オートサーチ動作を行うことにより、それぞれのチャンネルについて映像信号があったかどうか、すなわち、放送されているチャンネルかどうかについての情報がメモリ部２８に書き込まれ保存される。
オートサーチ処理完了後のチャンネル切り替え操作においては、マイクロコンピューター２１がメモリ部２８の情報を参照して、映像信号があったチャンネルのみ選局を可能とする。映像信号がなかったチャンネルはチャンネルが割り当てられずスキップされるためチャンネル選択操作が簡便化される。
【００４３】
放送チャンネルオートサーチ処理において、以上のような処理とすることによりＢＳ放送の各受信形態に対するＢＳアンテナ電源設定を自動的に設定することができ、また、ＢＳアンテナ電源の設定ミスを回避することができるためオートサーチ動作時にＢＳアンテナが動いていないことによるオートサーチ作業の失敗を避けることができるという効果が得られる。
【産業上の利用可能性】
【００４４】
本発明にかかる受信装置は、ＢＳチューナーを内蔵しているテレビやＶＴＲ、ＤＶＤレコーダー、ハードディスクレコーダー、及び、ＢＳチューナー単体機に応用できる。
【図面の簡単な説明】
【００４５】
【図１】本発明の実施の形態における受信装置のブロック図
【図２】本発明の実施の形態におけるマイクロコンピューターのブロック図
【図３】本発明の実施の形態におけるオートサーチ処理のフローチャート
【図４】従来における受信装置のブロック図
【図５】従来におけるマイクロコンピューターのブロック図
【図６】従来におけるオートサーチ処理のフローチャート
【符号の説明】
【００４６】
１    受信装置
２    ＢＳアンテナ
３    ＢＳ−ＩＦ信号入力端子
４    逆流防止ダイオード
５    ＢＳアンテナ電源供給回路
６    ＢＳアンテナ電源ＯＮ／ＯＦＦ制御信号
７    マイクロコンピューター
８    操作部
９    直流カットコンデンサ
１０    ＢＳチューナー
１１    ＢＳ選局制御信号
１２    ＢＳ映像信号
１３    地上波アンテナ
１４    地上波信号入力端子
１５    地上波チューナー
１６    地上波選局制御信号
１７    地上波映像信号
２１    マイクロコンピューター
２２    制御部
２３    ＢＳアンテナ電源制御部
２４    ＢＳ選局命令部
２５    ＢＳ映像信号判別部
２６    地上波選局命令部
２７    地上波映像信号判別部
２８    メモリ部
２９    ＲＯＭ
３０    操作部
５１    受信装置
５２    ＢＳアンテナ
５３    ＢＳ−ＩＦ信号入力端子
５４    逆流防止ダイオード
５５    ＢＳアンテナ電源供給回路
５６    ＢＳアンテナ電源ＯＮ／ＯＦＦ制御信号
５７    マイクロコンピューター
５８    操作部
５９    直流カットコンデンサ
６０    ＢＳチューナー
６１    ＢＳ選局制御信号
６２    ＢＳ映像信号
６３    地上波アンテナ
６４    地上波信号入力端子
６５    地上波チューナー
６６    地上波選局制御信号
６７    地上波映像信号
７１    マイクロコンピューター
７２    制御部
７３    ＢＳアンテナ電源制御部
７４    ＢＳ選局命令部
７５    ＢＳ映像信号判別部
７６    地上波選局命令部
７７    地上波映像信号判別部
７８    メモリ部
７９    ＲＯＭ
８０    操作部
【図１】
2005311830.tif 000003
【図２】
2005311830.tif 000004
【図３】
2005311830.tif 000005
【図４】
2005311830.tif 000006
【図５】
2005311830.tif 000007
【図６】
2005311830.tif 000008